【手続補正書】
【提出日】平成20年1月30日(2008.1.30)
【手続補正１】
【補正対象書類名】特許請求の範囲
【補正対象項目名】全文
【補正方法】変更
【補正の内容】
【特許請求の範囲】
【請求項１】
所定の画角で撮像を行う撮像手段と、
前記撮像手段により第１の位置で撮像を行って得られた撮像情報に基づいて、前記所定の画角内に存在する複数の被写体に対する距離と視野角を特定する特定手段と、
前記第１の位置とは異なる第２の位置から前記複数の被写体を見た場合における前記複数の被写体の位置関係を示す画像を、前記特定手段により特定された距離と視野角、および前記第１の位置と前記第２の位置との関係に基づいて生成する生成手段と、
を備えたことを特徴とするデジタルカメラ。
【請求項２】
前記第２の位置として任意の位置を利用者に指定させる指定手段と、
前記指定手段により指定された前記第２の位置に対応して前記生成手段により生成された画像をモニタ画面上に表示する表示手段とを更に備えたことを特徴とする請求項１に記載したデジタルカメラ。
【請求項３】
前記表示手段は、前記生成手段により生成された画像に基づいて、前記撮像手段により撮像を行う位置を前記第１の位置から前記第２の位置へと水平方向に移動させた場合における各被写体の相互位置の変化を示す画像をモニタ画面上に表示することを特徴とする請求項２に記載したデジタルカメラ。
【請求項４】
前記表示手段は、前記撮像手段により前記第１の位置で撮像を行って得られた画像と、前記生成手段により前記第２の位置に対応して生成された画像とを前記モニタ画面上に合成して表示することを特徴とする請求項３に記載したデジタルカメラ。
【請求項５】
前記表示手段は、前記撮像手段により逐次撮影される画像を前記モニタ画面上に逐次更新しながら表示すると共に、前記生成手段により生成された画像を前記モニタ画面上に半透過画像で表示することを特徴とする請求項４に記載したデジタルカメラ。
【請求項６】
前記生成手段は、前記撮像手段により前記第１の位置で撮像を行って得られた画像から前記複数の被写体の各々に対応する部分画像を切り出すと共に、この切り出された各部分画像を、前記第２の位置から前記複数の被写体を見た場合における各被写体の位置に再配置して合成することにより前記画像の生成を行うことを特徴とする請求項１に記載したデジタルカメラ。
【請求項７】
前記生成手段は、前記第２の位置である上方向から前記複数の被写体を見た場合における前記複数の被写体の平面位置を示す画像を生成することを特徴とする請求項１記載のデジタルカメラ。
【請求項８】
前記生成手段は、前記複数の被写体の位置と前記第１の位置との関係を示す画像を生成することを特徴とする請求項７に記載したデジタルカメラ。
【請求項９】
前記生成手段は、第３の位置である上方向から前記複数の被写体を見た場合における前記複数の被写体の位置と前記第１の位置との関係を示す画像を第１の画像として生成し、前記第２の位置から前記複数の被写体を見た場合における前記複数の被写体の位置関係を示す画像を第２の画像として生成し、
前記生成手段により生成された前記第１の画像をモニタ画面上に表示し、この第１の画像が表示されたモニタ画面上における利用者の指示操作に応じて前記第２の位置を特定し、この特定された第２の位置に対応させて前記生成手段により前記第２の画像を生成させる制御手段を更に備えたことを特徴とする請求項１に記載したデジタルカメラ。
【請求項１０】
前記生成手段は、前記第１の画像が表示されたモニタ画面上における利用者の指示操作に応じて  前記生成手段により生成された前記第２の画像をモニタ画面上に表示させることを特徴とする請求項９に記載したデジタルカメラ。
【請求項１１】
所定の画角で撮像を行う撮像手段を備えたデジタルカメラの制御方法であって、
前記撮像手段により第１の位置で撮像を行って得られた撮像情報に基づいて、前記所定の画角内に存在する複数の被写体に対する距離と視野角を特定する特定工程と、
前記第１の位置とは異なる第２の位置から前記複数の被写体を見た場合における前記複数の被写体の位置関係を示す画像を、前記特定工程により特定された距離と視野角、および前記第１の位置と前記第２の位置との関係に基づいて生成する生成工程と、
を備えたことを特徴とするデジタルカメラの制御方法。
【請求項１２】
デジタルカメラが有するコンピュータを、
所定の画角で撮像を行う撮像手段と、
前記撮像手段により第１の位置で撮像を行って得られた撮像情報に基づいて、前記所定の画角内に存在する複数の被写体に対する距離と視野角を特定する特定手段と、
前記第１の位置とは異なる第２の位置から前記複数の被写体を見た場合における前記複数の被写体の位置関係を示す画像を、前記特定手段により特定された距離と視野角、および前記第１の位置と前記第２の位置との関係に基づいて生成する生成手段と、
して機能させることを特徴とするプログラム。
【請求項１３】
被写体を撮像する撮像手段と、
前記撮像手段により第１の位置で複数の被写体を撮像して得られた撮像情報に基づいて、前記複数の被写体を第２の位置である上方向から見た場合における前記複数の被写体の位置関係を示す第１の画像をモニタ画面上に表示する第１の表示手段と、
前記第１の表示手段により前記第１の画像が表示されたモニタ画面上における利用者の指示操作に応じて前記第１の位置と前記第２の位置のいずれとも異なる第３の位置を特定する特定手段と、
前記特定手段により特定された第３の位置から前記複数の被写体を見た場合における前記複数の被写体の位置関係を示す第２の画像をモニタ画面上に表示する第２の表示手段と、
を備えたことを特徴とするデジタルカメラ。
【手続補正２】
【補正対象書類名】明細書
【補正対象項目名】発明の名称
【補正方法】変更
【補正の内容】
【発明の名称】デジタルカメラ、デジタルカメラの制御方法及びプログラム
【手続補正３】
【補正対象書類名】明細書
【補正対象項目名】０００１
【補正方法】変更
【補正の内容】
【０００１】
本発明は、デジタルカメラに関し、尚詳しくは、一度撮影した被写体を角度を変えて見たり、再度撮影する際の構図の変化や撮影位置のガイドを表示するカメラに関するものである。
【手続補正４】
【補正対象書類名】明細書
【補正対象項目名】０００６
【補正方法】変更
【補正の内容】
【０００６】
しかし、同一の被写体に対して角度を変えて見たり、撮影し直す場合に、移動方向や移動距離を、どの程度変化させると被写体の構図がどのように変化するかを示唆するものは無く、撮影者の想像力にたよることが多く、撮影者が実際に移動しながら被写体の構図を観察することが必要となるため、撮影に時間と労力を費やすことが多かった。
【手続補正５】
【補正対象書類名】明細書
【補正対象項目名】０００８
【補正方法】変更
【補正の内容】
【０００８】
請求項１記載の発明のデジタルカメラは、所定の画角で撮像を行う撮像手段と、前記撮像手段により第１の位置で撮像を行って得られた撮像情報に基づいて、前記所定の画角内に存在する複数の被写体に対する距離と視野角を特定する特定手段と、前記第１の位置とは異なる第２の位置から前記複数の被写体を見た場合における前記複数の被写体の位置関係を示す画像を、前記特定手段により特定された距離と視野角、および前記第１の位置と前記第２の位置との関係に基づいて生成する生成手段と、を備えたことを特徴とする。
【手続補正６】
【補正対象書類名】明細書
【補正対象項目名】０００９
【補正方法】変更
【補正の内容】
【０００９】
また、請求項１記載の発明のデジタルカメラにおいて更に、前記第２の位置として任意の位置を利用者に指定させる指定手段と、前記指定手段により指定された前記第２の位置に対応して前記生成手段により生成された画像をモニタ画面上に表示する表示手段とを更に備えることが好ましい。
【手続補正７】
【補正対象書類名】明細書
【補正対象項目名】００１０
【補正方法】変更
【補正の内容】
【００１０】
また、請求項１記載の発明のデジタルカメラにおいて更に、前記表示手段は、前記生成手段により生成された画像に基づいて、前記撮像手段により撮像を行う位置を前記第１の位置から前記第２の位置へと水平方向に移動させた場合における各被写体の相互位置の変化を示す画像をモニタ画面上に表示することが好ましい。
【手続補正８】
【補正対象書類名】明細書
【補正対象項目名】００１１
【補正方法】変更
【補正の内容】
【００１１】
また、請求項１３記載の発明は、被写体を撮像する撮像手段と、前記撮像手段により第１の位置で複数の被写体を撮像して得られた撮像情報に基づいて、前記複数の被写体を第２の位置である上方向から見た場合における前記複数の被写体の位置関係を示す第１の画像をモニタ画面上に表示する第１の表示手段と、前記第１の表示手段により前記第１の画像が表示されたモニタ画面上における利用者の指示操作に応じて前記第１の位置と前記第２の位置のいずれとも異なる第３の位置を特定する特定手段と、前記特定手段により特定された第３の位置から前記複数の被写体を見た場合における前記複数の被写体の位置関係を示す第２の画像をモニタ画面上に表示する第２の表示手段と、を備えたことを特徴とする。
【手続補正９】
【補正対象書類名】明細書
【補正対象項目名】００１２
【補正方法】変更
【補正の内容】
【００１２】
本発明は、第１の位置で複数の被写体を撮像するだけで、第１の位置とは異なる第２の位置から複数の被写体を見た場合における複数の被写体の位置関係を示す画像を生成することができる。
【手続補正１０】
【補正対象書類名】明細書
【補正対象項目名】００１３
【補正方法】変更
【補正の内容】
【００１３】
これにより、同一被写体を異なる角度から撮影するなどの時間や労力を少なくすることができる。